(57)【要約】【課題】消費電力を低減しつつ、保管室内の温度を物品の低温保管に必要な低温に維持することが可能な冷却庫を提供する。【解決手段】筐体１と、物品を低温保存する内部空間Ｒ１（Ｒ２、Ｒ３）に対して断熱された機械室１４とを備え、機械室１４には、外部の空気を取り込む取込口１４１と、空気が排出される排出口１４２とが設置されており、機械室１４の内部に、圧縮機３１と、取込口１４１から取り込まれた空気が圧縮機３１よりも先に当たる位置に設置された凝縮器４とを備えている冷却庫Ｒｆ。【選択図】図４
2014048030.tif 000002
【特許請求の範囲】
【請求項１】
筐体と、
前記筐体の内部に、物品を低温保存する内部空間に対して断熱された機械室とを備え、
前記機械室には、外部の空気を取り込む取込口と、前記取込口から取り込まれた空気が排出される排出口とが設置されており、
前記機械室には、内部に、前記取込口から取り込まれた空気の上流位置に設置された凝縮器とその下流に圧縮機とが備えられていることを特徴とする冷却庫。
【請求項２】
前記機械室の内部には、送風装置が設置されており、
前記送風装置によって、前記取込口より空気を取込み、前記排出口より空気を排出する請求項１に記載の冷却庫。
【請求項３】
前記機械室は、前記筐体の左右の両壁面に囲まれており、
前記取込口は前記機械室の左また右のいずれかの壁面に形成されており、前記排出口は前記取込口と反対側の壁面又は前記筐体背面に形成されている請求項１又は請求項２に記載の冷却庫。
【請求項４】
前記取込口と前記排気口はそれぞれの開口投影面が一部又は全部重なるように配置されている請求項１から請求項３のいずれかに記載の冷却庫。
【請求項５】
前記取込口の内側には、前記凝縮器に空気を導く導風部材が取り付けられている請求項１から請求項４のいずれかに記載の冷却庫。
【請求項６】
前記機械室には、蒸発器からのドレン水を貯めるドレン皿が配置されており、
前記凝縮器が前記ドレン皿の上方に配置されている請求項１から請求項５のいずれかに記載の冷却庫。
【発明の詳細な説明】
【技術分野】
【０００１】
本発明は、冷凍サイクルを備えた冷却庫に関するものである。
【背景技術】
【０００２】
冷却庫は、筐体及び扉で囲まれた空間に食品等を低温で保管する保管室（冷凍室、冷蔵室等）の内部を冷却する冷却装置を備えている。一般的な冷却庫に用いられている冷却装置は、冷凍サイクルを利用した冷凍機であり、圧縮機、凝縮器、キャピラリー管、蒸発器を備えている。そして、前記冷凍機は、これらの各要素を配管で接続し、冷媒を封入した閉回路を形成している。
【０００３】
前記圧縮機は、気体状態の冷媒を圧縮する。圧縮された冷媒は、高温高圧の気体であり、前記凝縮器に流入する。前記凝縮器では、内部に流入した冷媒の熱を外部に放出し、冷媒の温度を下げるとともに、冷媒を液化（凝縮）させる。液化された冷媒は、キャピラリー管で絞られる。
【０００４】
前記キャピラリー管で絞られ、流量が制限された冷媒は、キャピラリー管から流出するとき一気に膨張し霧状に変化し、前記蒸発器に流入する。前記蒸発器において、霧状の冷媒は、前記蒸発器の外部（主に空気）から熱を奪い気化する。このとき、前記蒸発器の周囲の空気は前記冷媒に気化熱を奪われ、冷却され、冷気となる。そして、前記冷却庫では、この冷気を前記保管室の内部に循環させることで、前記保管室の内部を冷却している。
【０００５】
従来の冷却器において、前記筐体は正面が開口した断熱箱体で形成されており、前記圧縮機は、前記保管室に対し断熱されている（断熱壁で仕切られている）機械室の内部に配置されている。このように形成された前記機械室に前記圧縮機を配置することで、前記圧縮機の駆動により発生する熱で前記保管室の温度上昇を抑制することができる。
【０００６】
また、前記凝縮器は、前記筐体の両側面板及び背面板の内部に外面に近接して配置された冷媒配管を有している。この凝縮器に高温の冷媒を流すことで、前記高温の冷媒より凝縮器の外部に熱が外部に放出される。前記筐体は断熱箱体で形成されているので、前記凝縮器から放出された熱が前記保管室に伝わりにくく、前記保管室の温度上昇は抑制される（例えば、特開２０００−６５４６１号公報等参照）。
【先行技術文献】
【特許文献】
【０００７】
【特許文献１】特開２０００−６５４６１号公報
【発明の概要】
【発明が解決しようとする課題】
【０００８】
前記冷却庫では、省電力化のため、前記筐体の断熱性能を高め、前記圧縮機の回転数を低く抑えるようになってきている。前記圧縮機の回転数が低くなると、前記圧縮機で圧縮された冷媒の温度が低くなっている。そして、冷媒は凝縮器を通過するとき気液混合の二相状態を経て液体に凝縮され、その状態では冷媒の温度は変化しない。前記圧縮機の回転数が低くなることで、前記凝縮器を流れる二相状態の冷媒の温度が低下しており、外部（外気）との間で熱交換が起きにくくなっている。
【０００９】
そして、前記凝縮器で熱交換が十分に行われないと、冷媒が完全に液体に変化しない状態で、キャピラリー管に流入してしまい、冷却装置の冷却効率が低下する要因となってしまう。
【００１０】
そこで、本発明は上記のような課題を解決するものであり、消費電力を低減しつつ、保管室内の温度を物品の低温保管に必要な低温に維持することが可能な冷却庫を提供することを目的とする。
【課題を解決するための手段】
【００１１】
上記目的を達成するために本発明は、筐体と、物品を低温保存する内部空間に対して断熱された機械室とを備え、前記機械室には、外部の空気を取り込む取込口と、前記取込口から取り込まれた空気が排出される排出口とが設置されており、前記機械室には、内部に、前記取込口から取り込まれた空気の上流位置に設置された凝縮器とその下流に圧縮機とが備えられていることを特徴とする冷却庫を提供する。
【００１２】
この構成によると、前記取込口から前記機械室に流入した空気を、前記凝縮器に吹き付けることができる。前記取込口から流入した空気は、前記機械室内の空気に比べて温度が低いので、前記凝縮器において冷媒の熱交換が効果的に行われる。
【００１３】
このことから、前記圧縮機の出力（回転数）を低く抑え、吐出される冷媒の温度が下がっても、冷却庫の内部空間を冷却するのに必要な冷媒の凝縮時の温度差を確保することができ、冷却庫の内部空間を、物品を保管するのに必要な温度に冷却することが可能である。これにより、消費電力を低減しつつ、物品を低温で保管することが可能な冷却庫を提供することができる。
【００１４】
上記構成において、前記機械室の内部には、送風装置が設置されており、前記送風装置によって、前記取込口より空気を取込み、前記排出口より空気を排出するようにしてもよい。
【００１５】
前記送風装置を備えていることで、自然対流で空気が流れる場合に比べて、前記取込口から取り込まれる空気の流量を多くすることができ、それだけ、前記凝縮器での冷媒の熱交換量（凝縮時の冷媒の温度差）を大きくすることが可能である。これにより、前記内部空間の温度を安定して、低温に保つことが可能である。
【００１６】
上記構成において、前記機械室は、前記筐体の左右の両壁面に囲まれており、前記取込口は前記機械室の左また右のいずれかの壁面に形成されており、前記排出口は前記取込口と反対側の壁面又は前記筐体背面に形成されていてもよい。このように、構成することで、前記圧縮機、前記凝縮器等の配置の自由度を高めることが可能である。
【００１７】
上記構成において、前記取込口と前記排気口はそれぞれの開口投影面が一部又は全部重なるように配置されていてもよい。このように構成することで、前記取込口から取り込まれた空気が、前記排気口から排出されやすい。これにより、前記機械室内の空気の流れを多くすることができ、前記内部空間の温度を安定して、低温に保つことが可能である。
【００１８】
上記構成において、前記取込口の内側には、前記凝縮器に空気を導く導風部材が取り付けられていてもよい。このように構成することで、前記取込口から取り込まれた空気が優先的に前記凝縮器に吹き付けられるとともに、前記機械室の内部を対流している空気が前記導風部材に遮られて、前記凝縮器に吹き付けるのを抑制することができる。これにより、前記凝縮器の内部を流れる冷媒の凝縮時の温度差を大きくすることができ、前記内部空間の温度を安定して、低温に保つことが可能である。
【００１９】
上記構成において、前記機械室には、蒸発器からのドレン水を貯めるドレン皿が配置されており、前記凝縮器が前記ドレン皿の上方に配置されていてもよい。このように構成することで、前記ドレン皿に貯まっている凝縮水が蒸発するときに、前記凝縮器の表面から熱を奪う。これにより、前記凝縮器における、冷媒の凝縮時の温度差を大きくすることができ、前記内部空間の温度を安定して、低温に保つことが可能である。
【発明の効果】
【００２０】
本発明によると、消費電力を低減しつつ、保管室内の温度を物品の低温保管に必要な低温に維持することが可能な冷却庫を提供することができる。
【図面の簡単な説明】
【００２１】
【図１】冷却庫の断面図である。
【図２】冷却装置の概略配管図である。
【図３】本発明にかかる冷却庫の機械室を示す斜視図である。
【図４】図３に示す機械室内の配置を示す概略図である。
【図５】本発明にかかる冷却庫の他の例の機械室の概略配置を示す図である。
【発明を実施するための形態】
【００２２】
以下に本発明の実施形態について図面を参照して説明する。図１は冷却庫の断面図である  図１に示すように、冷却庫Ｒｆは、断熱箱体である筐体１と、筐体１の正面に開閉可能に取り付けられたドア２と、冷却装置３とを備えている。筐体１は、正面側が開いた凹形状の内部空間（凹形状部）を上下に３個備えている。なお、上段空間Ｒ１が物品を外部よりも低温で保管するための冷蔵室であり、中段空間Ｒ２及び下段空間Ｒ３が物品を冷凍状態で保管するための冷凍室である。なお、内部の空間はこれに限定されるものではなく、これら以外にも、製氷室、野菜室、保温室等を備えていてもよい。
【００２３】
そして、ドア２は、上段空間Ｒ１、中段空間Ｒ２及び下段空間Ｒ３の正面に独立して開閉可能に取り付けられている。なお、上段空間Ｒ１に対応するドア２１はヒンジドアであり、中段空間Ｒ２及び下段空間Ｒ３に対応するドア２２、２３はスライド式ドアである。また、ドア２にはパッキンＰｋが取り付けられており、パッキンＰｋが筐体１と当接することで、筐体１とドア２とが密閉される。
【００２４】
また、筐体１は、金属製の外箱１１と、各内部空間の内壁となる外箱１２と、外箱１１及び内箱１２とを組み合わせ、外箱１１と内箱１２との間に充填された断熱体１３とを備えている。
【００２５】
外箱１１は、厚み約０．５ｍｍ〜１ｍｍ程度の金属板（たとえば、鋼板）を折り曲げて箱体に形成したものである。外箱１１は、正面側が開いた箱形である。内箱１２は外箱１１の開口部に取り付けられるものであり、外箱１１に取り付けられたとき、外側から見て、いわゆる、ドーム形状を有している。なお、筐体１では、上段空間Ｒ１、中段空間Ｒ２及び下段空間Ｒ３はそれぞれ独立した内箱１２で形成されている。
【００２６】
内箱１２は、主に食品を保管する空間を囲む壁となる部分を含むため、ＡＢＳ、ＰＰ、ＰＳ等の樹脂の真空成型にて製造されている。内箱１２としては、本実施形態の場合、ＡＢＳ樹脂を厚み約１ｍｍとなるように形成されている。
【００２７】
断熱体１３は、筐体１の外側と内側との間で熱の移動を抑制する断熱部材であるとともに、筐体１の構造強度を保つための強度部材でもある。断熱体１３は、発泡ポリウレタンが採用されている。なお、発泡ポリウレタン以外にも、発泡スチロール樹脂、発泡フェノール樹脂、発泡ユリア樹脂等を採用することも可能である。断熱体１３は、外箱１１と内箱１２とを組み合わせて箱体を形成したときに形成される空間に発泡断熱材の原液を注入し、この空間内部で発泡充填することで形成されている。
【００２８】
断熱体１３（発泡ポリウレタン）の成型には、ポリオールとイソシアネートの混合液に発泡剤としてシクロペンタンを加えた原液を用いている。そして、断熱体１３は、この原液を外箱１１と内箱１２とで形成される空間に注入し、発泡反応（脱水反応）を生じさせることで形成される。なお、詳細は省略するが、ドア２も同様に内箱と外箱を組み合わせた箱体の内箱と外箱の間に断熱体が配置された構造を有している。冷却庫Ｒｆは筐体１及びドア２が以上の構成を有することで、上段空間Ｒ１、中段空間Ｒ２及び下段空間Ｒ３は断熱体１３に囲まれており、外部からの熱の進入が抑制されている。
【００２９】
また、筐体１は、背面の下部（下段空間Ｒ３の背面側）に冷却装置３の一部が配置される機械室１４を備えている。ここで冷却装置について新たな図面を参照して説明する。図２は冷却装置の概略配管図である。図２に示すように、冷却装置３は、圧縮機３１、壁面凝縮器３２、ドライヤ３３、キャピラリー管３４及び蒸発器３５を備えている。そして、冷却装置３はこの順番で環状に接続され、内部に冷媒を封入することで冷凍サイクルを構成している。また、図２に示しているように、冷却装置３には、圧縮機３１と壁面凝縮器３２の間に凝縮器４を備えている。なお、本発明の要部の一部である凝縮器４の詳細については、後述する。
【００３０】
冷却装置３についてさらに説明する。冷却装置３は、封入された冷媒を気体と液体とで相変化させることで、冷熱を取り出すためのヒートポンプである。冷却装置３では、気体である冷媒は圧縮機３１で圧縮され、高温高圧のガス冷媒（気体）の状態で、壁面凝縮器３２（実際には、凝縮器４であるが、説明の便宜上、壁面凝縮器３２としている）に送られる。
【００３１】
壁面凝縮器３２は、冷媒を冷却して凝縮する要素であり、換言すると、冷媒が熱を外部に放出するための要素である。そして、冷媒は冷却庫Ｒｆの内部空間で熱を吸収することで、内部空間を冷却しており、壁面凝縮器３２から放出される熱が内部空間に伝わりにくく、外部に放出されることが好ましい。そのため、冷却庫Ｒｆでは、筐体１の外箱１１と隣接して冷媒が流れる配管を配置し、壁面凝縮器３２としている。詳しく説明すると、筐体１の両側面及び背面の外壁と接触するように、配管が配置されている。壁面凝縮器３２は、右側面凝縮器３２Ｒ、背面凝縮器３２Ｂ、左側面凝縮器３２Ｌがこの順番に配管で接続されている。なお、図１では、背面凝縮器３２Ｂを示しているが、右側面凝縮器３２Ｒ及び左側面凝縮器３２Ｌも同様に配置されている。
【００３２】
壁面凝縮器３２は金属製の外箱１１と接触しており、壁面凝縮器３２に高温の冷媒が流れることで、壁面凝縮器３２からの熱は外箱１１を介して外部に放出される。逆に、壁面凝縮器３２と内部空間（Ｒ１、Ｒ２、Ｒ３）との間には断熱体１３が配置されており、壁面凝縮器３２からの熱は、内部空間に伝達されにくくなっている。壁面凝縮器３２は、高温高圧のガス冷媒の熱を冷却装置３の外部に放出することで、ガス冷媒は冷却され液化（凝縮）する。
【００３３】
壁面凝縮器３２で液化された液体の冷媒は、ドライヤ３３に送られる。ドライヤ３３では、冷媒に混入している水、異物等を冷媒から分離する。冷媒はドライヤ３３を通過した後、キャピラリー管３４に送られる。キャピラリー管３４は、細管であり冷媒の流量を絞る絞りである。冷媒はキャピラリー管３４の出口から流出するとき急激に膨張する。このとき、冷媒は冷却されるとともに、霧状に変化（霧化）する。なお、霧状の冷媒は、液相である。そして、低温の霧状の冷媒は蒸発器３５に送られる。
【００３４】
冷媒は蒸発器３５で気化する。冷媒は気化するときに周囲から気化熱を奪う。この気化熱によって、蒸発器３５の表面は冷却される。冷却装置３は、蒸発器３５の周囲に発生する冷気（蒸発器を流れる冷媒によって吸収される気化熱で冷却された空気）によって、冷却庫Ｒｆの内部空間を冷却する。
【００３５】
冷却装置３は、圧縮機３１及び壁面凝縮器３２が外部に熱を放出する要素であり、蒸発器３５が内部空間を冷却する要素である。また、圧縮機３１には、電力を供給するための装置等が必要である。そのため、圧縮機３１は図１に示すように、機械室１４の内部に配置されている。また、蒸発器３５は冷却庫Ｒｆの内部空間を冷却する要素であるため、中段空間Ｒ２の奥に配置されている。
【００３６】
なお、冷却庫Ｒｆには、蒸発器３５に近接して送風機（不図示）が配置されており、蒸発器３５に送風している。この蒸発器３５に送風されている空気は、蒸発器３５の内部の冷媒と熱交換し、低温の空気（冷気）となる。そして、この冷気が中段空間Ｒ２内で循環することで、中段空間Ｒ２が冷却される、すなわち、中段空間Ｒ２の内部に収納された物品が冷凍される。
【００３７】
また、中段空間Ｒ２と上段空間Ｒ１とはダクト（不図示）を介してつながっており、中段空間Ｒ２内を循環するときの熱交換によって、少し暖められた冷風が、ダクトを介して上段空間Ｒ１内に流れ込む。これにより、上段空間Ｒ１の内部に収納された物品は中段空間Ｒ２よりも高いが外気よりも低い温度に冷却される（冷蔵される）。また、下段空間Ｒ３も同様に、中段空間Ｒ２と連通しており、冷風が流れることで内部の物品が冷凍される。つまり、以上のような方法で、冷却装置３は、冷却庫Ｒｆの内部空間の空気或いは物品を冷却する。
【００３８】
以上示した冷却庫Ｒｆの構成は、従来の冷却庫と同様の構成となっている。近年、電気製品の消費電力を低減すること（省エネルギ化）が強く要求されている。そこで、冷却庫Ｒｆでは、筐体１の断熱性能を高めることで、内部空間の温度上昇を抑えるとともに、圧縮機３１の回転数（冷媒の吐出流量）を抑え、消費電力を低減している。
【００３９】
上述のような構成の冷却装置３において、圧縮機３１の吐出流量を抑えると、冷媒の圧縮機３１の出口での温度が低下する。一般的に冷却装置３のような冷凍サイクルでは、圧縮機３１から吐出された冷媒とキャピラリー管３４に流入する冷媒の温度差、すなわち、壁面凝縮器における熱交換前後の冷媒の温度差（熱交換温度差）によって冷却能力が決定される。例えば、冷媒の熱交換時の温度差が大きくなると、冷却能力が高く、冷媒の熱交換温度差が小さくなると、冷却能力が低くなる。
【００４０】
従来の冷却装置に備えられている壁面凝縮器は、自然放熱によって冷媒の熱交換を行っている。つまり、壁面凝縮器内を流れる冷媒と外気との温度差が大きいほど冷媒の放熱が促進される。このような構成の冷却装置において、圧縮機の出口側での冷媒温度が低くなると、壁面凝縮器における冷媒温度と外気温との温度差が小さくなり、熱交換温度差が小さくなる。このことから、圧縮機の吐出流量を抑えると、冷却装置の冷却能力が低下する。
【００４１】
図２に示すように、本発明の冷却庫Ｒｆに用いられる冷却装置３では、圧縮機３１の吐出流量を減らしたことによる冷却能力の低下を補うため、圧縮機３１と壁面凝縮器３２との間、換言すると、冷媒が高温高圧のガス冷媒である領域に、凝縮器４を配置している。
【００４２】
（第１実施形態）
以下に凝縮器４及び機械室１４の詳細について、図面を参照して説明する。図３は本発明にかかる冷却庫の機械室を示す斜視図であり、図４は図３に示す機械室内の配置を示す概略図である。
【００４３】
凝縮器４は、平行に並んで配置された複数枚のフィンと、フィンを貫通するとともに折り返し配置された配管とを備えるフィンアンドパイプ方式の熱交換器を備えている。そして、凝縮器４の近くには、熱交換器のフィンに空気を吹き付け、強制的に冷却（空冷）を行うファン５（送風装置）が配置されている。凝縮器４は複数個のフィンを備えていることで、熱交換を行うための表面積を大きくすることができ、熱交換効率を高めている。なお、ファン５は、後述するが、機械室１４に外部の空気（低温の空気）を取り入れるためのファンとしても利用されている。
【００４４】
凝縮器４が複数のフィンと折り返す配管を備えているため外部からの力で破損しやすい。また、配管の内部に高温の冷媒が流れることから配管及びフィンの表面が高温になりやすい。このことから、冷却庫Ｒｆでは、凝縮器４は機械室１４の内部に配置されている。
【００４５】
次に機械室１４について説明する。上述したとおり、機械室１４は筐体１の背面下部に形成されている。そして、機械室１４は、外箱１１と同じ材料（一部一体）で形成されたカバー部で囲まれている。図４に示すように、機械室１４の内部には、圧縮機３１と、圧縮機３１から吐出された冷媒が流入する凝縮器４と、蒸発器３５の除霜時に発生する除霜水を貯めるドレン皿１５とが配置されている。そして、機械室１４の背面は、開閉可能な蓋１６（図１参照）で覆われている。
【００４６】
圧縮機３１は駆動により発熱する。また、圧縮機３１で圧縮された冷媒も高温になっており、外部に発熱する。そして、機械室１４の内部の空気はこれらの機器からの発熱によって温められる。機械室１４の内部の空気の温度が上昇すると、凝縮器４に吹き付けられる空気の温度が上昇し、熱交換効率が悪くなる。
【００４７】
そこで、機械室１４の側壁には、外部の冷えた空気を取り入れる取込口１４１と、内部に溜まっている温められた空気を外部に排出する排出口１４２とを備えている。図４に示すように、機械室１４では、取込口１４１は機械室１４の右側壁（図４は背面図であるので左側）に形成されており、排出口１４２は取込口１４１と反対側、つまり、機械室１４の左側壁（図４では右側）に形成されている。また、取込口１４１と排出口１４２とは、一直線上に配置されているが、これに限定されるものではなく、取込口１４１から取り込まれた空気が機械室１４の内部を流れ、排気口１４２から排出されやすい位置に形成されていればよい。
【００４８】
図４に示すように、取込口１４１は、機械室１４の側壁を貫通する矩形（例えば、正方形）の貫通孔である。そして、取込口１４１には、貫通孔からの異物の混入を抑制するためのグリル１４０が取り付けられている。また、排出口１４２も反対側の面に形成された貫通孔であり、図示を省略した、同様のグリル１４０が取り付けられている。図４では、グリル１４０として複数個の小さい孔が形成された板状の部材としているが、これに限定されるものではなく、メッシュ状の部材等、異物の混入を抑制する構造のものを広く採用することが可能となっている。
【００４９】
そして、機械室１４では、圧縮機３１が排出口１４２の近くに配置されており、凝縮器４が取込口１４１の近くに配置されている。このように配置された機械室１４において、ファン５が駆動すると、外部の空気が取込口１４１から機械室１４の内部に流入する。凝縮器４が取込口１４１の近くに配置されているので、取込口１４１から流入した空気が凝縮器４に吹き付けられ、凝縮器４の内部を流れている高温高圧の冷媒と熱交換を行う（冷媒を冷却する）。
【００５０】
取込口１４１から流入した空気は、圧縮機３１に到達する前に、つまり、圧縮機３１の熱で温められる前に凝縮器４に吹き付けられる。取込口１４１から流入する空気は、筐体１、すなわち、機械室１４の外部の空気であり、機械室１４の内部に溜まっている空気よりも温度が低い。これにより、温度が低い空気が凝縮器４に吹き付けられるので、凝縮器４での熱交換温度差を大きくすることができ、冷却効率を高めることができる。
【００５１】
凝縮器４に吹き付けられた空気は、フィンの隙間を通過するとき、配管内部を流動する冷媒と熱交換をする。そして、凝縮器４を通過した空気は、圧縮機３１に吹き付けられる。そして、圧縮機３１に吹き付けられた空気は、圧縮機３１の熱を奪うことで、圧縮機３１を冷却し、排出口１４２から排出される。
【００５２】
以上示したように、凝縮器４を取込口１４１の近くに配置することで、機械室１４の内部を対流する温かい空気が凝縮器４に吹き付けられるのを抑制することができる。これにより、凝縮器４の熱交換効率を高め、内部を流動する冷媒の熱交換温度差を大きくすることができ、冷却装置３の冷却効率を高めることができる。
【００５３】
また、図４等に示すように、機械室１４は、取込口１４１、凝縮器４、圧縮機３１及び排出口１４２が直線上に配置されている。これにより、機械室１４を流れる空気の抵抗が少なくなり、機械室１４に空気が溜まりにくく、機械室１４の内部の空気の温度上昇を抑制することができる。また、機械室１４の内部の空気の温度上昇を抑えることで、凝縮器４に吹き付けられる空気に機械室１４の内部を対流している空気が含まれた場合でも、凝縮器４の冷却効率の低下を抑制することができる。
【００５４】
また、凝縮器４を取込口１４１の近傍に配置していることで、ファン５が回転していない場合でも、取込口１４１を介して機械室１４の外部空気と熱交換されやすい。これにより、ファン５が回転していないときでも、凝縮器４での熱交換効率を上げることが可能である。
【００５５】
なお、図４に示す冷却庫Ｒｆでは、取込口１４１から見て、凝縮器４を挟んだ反対側にファン５が配置されているが、これに限定されるものではなく、ファン５が取込口１４１と凝縮器４との間に配置されていてもよい。
【００５６】
また、図４では、凝縮器４はドレン皿１５の上部から外れて配置されているが、ドレン皿１５の上部に配置されていてもよい。これにより、ドレン皿１５に貯まっている除霜水の蒸発時の気化熱で、凝縮器４の内部に流れる冷媒が冷却され、冷却効率を高めることが可能である。
【００５７】
以上示したように、本発明にかかる冷却庫Ｒｆでは機械室１４の左右側壁の一方に取込口１４１を、他方に排出口１４２を形成し、取込口１４１の近傍に凝縮器４を配置している。これにより、凝縮器４に機械室１４の外部の空気を吹き付けるので、凝縮器４での冷媒の熱交換効率を高める（熱交換温度差を大きくする）ことができる。これにより、圧縮機３１の回転数が低下しても、熱交換温度差を大きくすることができ、冷却能力の低下を抑制することが可能である。これにより、冷却能力の低下を抑えつつ消費電力を低減することができる冷却庫を提供することができる。
【００５８】
なお、取込口１４１及び排出口１４２が機械室１４（筐体１）の左右の側壁に形成されているが、取込口１４１から流入した空気が排出口１４２に滞留しにくい位置であれば、必ずしも左右の側壁に限定されない。
【００５９】
（第２実施形態）
本発明にかかる冷却庫の他の例について図面を参照して説明する。図５は本発明にかかる冷却庫の他の例の機械室の概略配置を示す図である。図５に示す冷却庫Ｒｆ２では、取込口１４１から凝縮器４に空気を導く導風部材６を備えている以外は、冷却庫Ｒｆと同じ構成を有しており、実質上同じ部分には同じ符号を付すとともに、同じ部分の詳細な説明は省略する。
【００６０】
図５に示すように、冷却庫Ｒｆ２の機械室１４では、取込口１４１の近傍に凝縮器４が配置されている。そして、取込口１４１から凝縮器４に到達する導風部材６が配置されている。
【００６１】
冷却庫Ｒｆ２では、ファン５が凝縮器４を挟んで取込口１４１と反対側に配置されている。そして、導風部材６は、筒状の部材であり一方の端部６１が機械室１４の内側と接触し、取込口１４１を囲むように配置されている。そして、他方の端部６２が凝縮器４に向かって開口している。
【００６２】
このように、導風部材６が形成されていることで、ファン５の駆動によって取込口１４１から取り込まれた空気が凝縮器４に集中して吹き付けられる。また、導風部材６が配置されていることから、機械室１４内を対流している空気が凝縮器４に吹き付けられるのを抑制することができるので、凝縮器４における冷媒の熱交換温度差を大きくし、冷却装置３の熱交換効率を高めることができる。
【００６３】
このことから、本実施形態の冷却庫Ｒｆ２では、圧縮機３１の回転数が低くても、冷却装置３の熱交換効率の低下を抑制することができ、省エネルギ且つ冷却能力の低下を抑制することができる。
【００６４】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００６５】
本発明の冷却庫は、消費電力を減らすことができるとともに、冷却能力の低下を抑制することができる。
【符号の説明】
【００６６】
Ｒｆ  冷却庫
１  筐体
１１  外箱
１２  内箱
１３  断熱体
１４  機械室
１４１  取込口
１４２  排出口
１５  ドレン皿
１６  蓋
２     ドア
３  冷却装置
３１  圧縮機
３２  壁面凝縮器
３２Ｒ  右側面凝縮器
３２Ｌ  左側面凝縮器
３２Ｂ  背面凝縮器
３３  ドライヤ
３４  キャピラリー管
３５  蒸発器
４  凝縮器
５  ファン
６  導風部材
【図１】
2014048030.tif 000003
【図２】
2014048030.tif 000004
【図３】
2014048030.tif 000005
【図４】
2014048030.tif 000006
【図５】
2014048030.tif 000007